(57)【特許請求の範囲】
【請求項１】
内周面に深溝型の外輪軌道を有する外輪と、外周面に深溝型の内輪軌道を有し、この外輪の径方向内側にこの外輪と同心に配置された内輪と、これら外輪軌道と内輪軌道との間に転動自在に設けられた複数個の玉と、これら各玉を転動自在に保持する保持器とから成り、この保持器は、合成樹脂製であり、環状のリム部の軸方向片側面に複数組の爪部を設けて成り、互いに対となる爪部とこのリム部の軸方向片側面とにより囲まれた部分を前記各玉を保持する為のポケットとした冠型保持器である単列深溝型ラジアル玉軸受に於いて、これら総てのポケットに、それぞれ前記玉が１個ずつ保持されており、前記外輪の外径が１３０〜２００［mm］、前記内輪の内径が１００〜１７０［mm］、前記各玉の直径Ｄａが５．５〜７．５［mm］であり、前記各玉のピッチ円直径をｄｍ［mm］とし、これら各玉の数をＺとした場合に、ｄｍ・π／Ｚ＝（２〜５）Ｄａを満たしており、前記外輪軌道の断面形状の曲率半径ｒ１と、前記各玉の直径Ｄａとが、ｒ１＝（０．５１５〜０．５３５）Ｄａを満たしており、前記内輪軌道の断面形状の曲率半径ｒ２と、前記各玉の直径Ｄａとが、ｒ２＝（０．５１５〜０．５３５）Ｄａを満たしており、運転速度を、前記外輪が固定で前記内輪が回転している場合に換算した状態で、ｎ［min-1］として、この運転速度ｎと前記ピッチ円直径ｄｍとの積であるｄｍ・ｎの値が、最大で１５０万以上となる条件下で使用される事を特徴とする単列深溝型ラジアル玉軸受。
【請求項２】
前記保持器の径方向に関する位置決めを、この保持器の内外両周面のうちの何れか一方の周面と、前記外輪の内周面と前記内輪の外周面とのうちの一方の周面の一部で、当該周面に設けた、前記外輪軌道と前記内輪軌道とのうちの一方である軌道溝から外れた部分に存在する円筒面との係合により図り、前記保持器の軸方向に関する位置決めを、前記各ポケットの内面と前記各玉の転動面との係合により図っており、前記保持器の中心軸と、前記外輪及び前記内輪の中心軸とが一致した状態で、この保持器の径方向に関する位置決めを図る為に互いに近接対向する１対の周面同士の間に存在する隙間の径方向に関する幅が、０．２〜０．７［mm］であり、前記保持器を構成する合成樹脂が、炭素繊維を２０〜４０容量％含有したポリエーテルエーテルケトンである、請求項１に記載した単列深溝型ラジアル玉軸受。
【請求項３】
前記保持器の重心が、軸方向に関して、前記一方の周面のうちの円筒面の軸方向一端縁と他端縁との間部分に存在しており、前記外輪軌道及び前記内輪軌道が、それぞれ前記外輪及び前記内輪の軸方向中央部から軸方向片側に偏った位置に設けられており、前記保持器のリム部が、前記外輪軌道及び前記内輪軌道よりも軸方向他側部分に設けられている、請求項２に記載した単列深溝型ラジアル玉軸受。
【請求項４】
電気自動車やハイブリッド自動車の駆動用モータ、又は発電機のロータを回転自在に支持する為のものである、請求項１〜３のうちの何れか１項に記載した単列深溝型ラジアル玉軸受。
【発明の詳細な説明】
【技術分野】
【０００１】
この発明は、電気自動車やハイブリッド自動車の駆動用モータや発電機のロータを他の部分に回転自在に支持する部分の様に、運転時に加わる荷重が小さいが、比較的径が大きく、しかも回転速度が大きい状況下で使用される単列深溝型ラジアル玉軸受の改良に関する。
【背景技術】
【０００２】
各種機械装置の回転支持部を構成する為の転がり軸受として、例えば特許文献１〜４に記載されている様に、各種構造のものが広く知られている。図６は、このうちの特許文献１に記載された、単列深溝型のラジアル玉軸受１を示している。このラジアル玉軸受１は、外輪２と、内輪３と、複数個の玉４と、保持器５とから成る。このうちの外輪２は、内周面に深溝型の外輪軌道６を有する。又、前記内輪３は、外周面に深溝型の内輪軌道７を有し、前記外輪２の径方向内側に、この外輪２と同心に配置されている。又、前記各玉４は、前記外輪軌道６と前記内輪軌道７との間に、転動自在に設けられている。更に、前記保持器５は、冠型保持器と呼ばれるもので、前記各玉４を転動自在に保持している。この様な保持器５は、合成樹脂を射出成形する事により造られており、図７に示す様に環状のリム部８の軸方向片側面に複数組の爪部９、９を設けて成る。そして、互いに対となる爪部９、９と前記リム部８の軸方向片側面とにより囲まれた部分を、前記各玉４を保持する為のポケット１０、１０としている。
【０００３】
この様なラジアル玉軸受１は、一般的には或る程度大きなラジアル荷重（場合によってはラジアル荷重に加えてスラスト荷重）を負荷しつつ、前記外輪２と前記内輪３とを相対回転させる（一般的には、固定の外輪２の内径側で内輪３を回転させる）。又、前記保持器５を構成する合成樹脂として一般的には、ポリアミド樹脂（ＰＡ、ナイロン）或いはポリフェニレンサルファイド樹脂（ＰＰＳ）を単体若しくは強化繊維を混入した状態で使用している。
【０００４】
例えば、自動車用変速機の回転軸を支持する部分に使用する為のラジアル玉軸受１の場合には、前記各玉４のピッチ円直径（ＰＣＤ）があまり大きくはなく、又、運転時にはこれら各玉４が、ギヤ反力に基づく比較的大きな荷重を負荷した状態で、自転しつつ公転する。この様な使用状態は、前記ラジアル玉軸受１を含む転がり軸受の分野で一般的であり、潤滑条件さえ整ってさえいれば、特に問題を生じる事はない。
【０００５】
一方、近年に於ける環境問題の高まりから普及し始めている電気自動車やハイブリッド自動車の駆動用モータや発電機のロータを他の部分の回転自在に支持する部分に使用する転がり軸受の場合、運転速度が１００００min-1を優に超える様な、超高速で運転される。しかも、前記転がり軸受に加わる荷重は、前記ロータの自重程度の僅かなものとなる。この様な、軽荷重・高速運転の状態で運転される転がり軸受には、ころ軸受等の他の転がり軸受に比べて有利な玉軸受を使用する。更に、玉軸受のうちでも、アンギュラ型に比べてスピン損失が少なく、より高速運転に向いた、深溝型のものを使用する。
【０００６】
但し、前記ロータの回転支持を、単列深溝型ラジアル玉軸受により行った場合でも、軽荷重下で高速運転すると、転がり軸受の技術分野で広く知られている、スキッデイングと呼ばれる損傷が発生し易い。この様なスキッディングは、無負荷領域に存在して自転速度が公転速度に対応する値よりも小さくなった玉が負荷領域に突入する際に、軌道面と転動面とが強く擦れ合い、これら軌道面や転動面に擦り傷を発生させる事で生じる。従って、アンギュラ型とは異なり、各玉に十分な与圧を付与する事が難しく、各玉を確実に自転させにくい深溝型の玉軸受は、スキッディング防止の面からは不利である。この様なスキッディングの発生を防止する為には、特許文献２、３に記載されている構造の様に、玉の数を少なくして、各玉が非負荷圏に存在する時間を短くし（各玉が負荷圏に存在する時間を長くし）、これら各玉の自転速度の低下を抑える事が効果がある。
【０００７】
一方、電気自動車の駆動部のスペース効率を向上させるべく、前記ロータを支持する為のラジアル玉軸受の内径を大きくし、このラジアル玉軸受の径方向内側に他の部品を組み込む事が考えられている。この様な要求により、前記ラジアル玉軸受の内径を大きくすると、必然的に各玉のピッチ円直径も大きくなる。そして、ピッチ円直径が大きくなると、これら各玉に公転運動に基づいて加わる遠心力が大きくなり、前記スキッディングが発生し易くなる。前記特許文献２に記載された発明は、一般的な構造の（外径、内径、幅、玉径の比が一般的である）転がり軸受で転動体の数を規制し、スキッディングの発生を抑える事を意図したもので、上述の電気自動車の駆動部に設けたロータを回転支持する為に使用する様な、特殊なラジアル玉軸受のスキッディングを抑える事を意図してはいない。又、特許文献３に記載された発明は、単に低トルク化を目的に玉の数を減らした構造で、潤滑油の攪拌抵抗の低減を目的に保持器の構造を工夫したもので、やはり、特殊なラジアル玉軸受のスキッディングを抑える事を意図してはいない。
尚、本発明を実施する場合に関連する技術を記載した刊行物として、特許文献３、４が存在する。
【先行技術文献】
【特許文献】
【０００８】
【特許文献１】特開２００５−３１９８号公報
【特許文献２】特開２００１−２７２４６号公報
【特許文献３】特開２００７−３２７５１４号公報
【特許文献４】特開２００９−１５６４２３号公報
【発明の概要】
【発明が解決しようとする課題】
【０００９】
本発明は、上述の様な事情に鑑みて、電気自動車の駆動部に設けたロータを回転支持する為に使用する様な、特殊な単列深溝型ラジアル玉軸受のスキッディングを抑えられる構造を実現すべく発明したものである。
【課題を解決するための手段】
【００１０】
本発明の単列深溝型ラジアル玉軸受は、従来から一般的に知られている単列深溝型ラジアル玉軸受と同様に、外輪と、内輪と、複数個の玉と、保持器とから成る。又、この保持器は、合成樹脂製の冠型保持器である。この様な保持器は、合成樹脂を射出成形する事により造る事ができる。
特に、本発明の単列深溝型ラジアル玉軸受に於いては、総てのポケットに、それぞれ前記玉が１個ずつ保持されている。又、前記外輪の外径が１３０〜２００［mm］（より好ましくは１８０〜２００［mm］）、前記内輪の内径が１００〜１７０［mm］（より好ましくは１５０〜１７０［mm］）、前記各玉の直径Ｄａが５．５〜７．５［mm］（より好ましくは６〜７［mm］）である。要するに、これら各玉の直径Ｄａに比べて、前記外輪の外径及び前記内輪の内径が大きい。
そして、前記各玉のピッチ円直径をｄｍ［mm］とし、これら各玉の数をＺとした場合に、ｄｍ・π／Ｚ＝（２〜５）Ｄａを満たす。より好ましくは、ｄｍ・π／Ｚ＝（３〜４）Ｄａとする。
又、本発明の単列深溝型ラジアル玉軸受を実施する場合に、追加的には、前記外輪軌道の断面形状の曲率半径ｒ１と、前記各玉の直径Ｄａとが、ｒ１＝（０．５１５〜０．５３５）Ｄａを満たしており、前記内輪軌道の断面形状の曲率半径ｒ２と、前記各玉の直径Ｄａとが、ｒ２＝（０．５１５〜０．５３５）Ｄａを満たす様に構成する事ができる。
この様な本発明の単列深溝型ラジアル玉軸受を実施する場合に、追加的には、運転速度を、外輪が固定で内輪が回転している場合に換算した状態で、ｎ［min-1］として、この運転速度ｎと前記ピッチ円直径ｄｍとの積であるｄｍ・ｎの値が、最大で１５０万以上（更には２００万以上）となる条件下で使用する事ができる。
【００１１】
又、本発明を実施する場合に好ましくは、追加的に、前記保持器の径方向に関する位置決めを、この保持器の内外両周面のうちの何れか一方の周面と、前記外輪の内周面と前記内輪の外周面とのうちの一方の周面の一部で、当該周面に設けた、前記外輪軌道と前記内輪軌道とのうちの一方である軌道溝から外れた部分に存在する円筒面との係合により（軌道輪案内により）図る。又、前記保持器の軸方向に関する位置決めを、前記各ポケットの内面と前記各玉の転動面との係合により（玉案内により）図る構成を採用できる。
この様な構成を採用した場合には、追加的に、前記保持器の中心軸と、前記外輪及び前記内輪の中心軸とが一致した状態で、この保持器の径方向に関する位置決めを図る為に互いに近接対向する１対の周面同士の間に存在する隙間の径方向に関する幅を、０．２〜０．７［mm］とする事ができる。
或いは、前記保持器の重心を、軸方向に関して、前記一方の周面のうちの円筒面の軸方向一端縁と他端縁との間部分に存在させる構成を採用できる。
この様な構成を採用した場合には、追加的に、前記外輪軌道及び前記内輪軌道を、それぞれ前記外輪及び前記内輪の軸方向中央部から軸方向片側に偏った位置に設ける構成を採用できる。そして、この様な構成を採用した場合には、追加的に、前記保持器のリム部を、前記外輪軌道及び前記内輪軌道よりも軸方向他側部分に設ける構成を採用できる。
又、上述の様な本発明を実施する場合に好ましくは、追加的に、前記保持器を構成する合成樹脂を、炭素繊維を２０〜４０容量％含有したポリエーテルエーテルケトン（ＰＥＥＫ）とする事ができる。
更に、上述の様な本発明の単列深溝型ラジアル玉軸受は、具体的には、電気自動車やハイブリッド自動車の駆動用モータ、又は発電機のロータを回転自在に支持する部分に使用する事ができる。
【発明の効果】
【００１２】
上述の様に構成する本発明の単列深溝型ラジアル玉軸受によれば、電気自動車の駆動部に設けたロータを回転支持する為に使用する様な、特殊な単列深溝型ラジアル玉軸受のスキッディングを抑えられる。
即ち、本発明の単列深溝型ラジアル玉軸受は、各玉の直径Ｄａ（５．５〜７．５［mm］）に比べて、外輪の外径（１３０〜２００［mm］）及び内輪の内径（１００〜１７０［mm］）が大きい。この様な仕様の単列深溝型玉軸受を、ｄｍ・ｎの値が最大で１５０万以上（更には２００万以上）となる条件で、しかも軽荷重下で運転すると、一般的にはスキッディングが発生し易くなる。これに対して本発明の場合には、ｄｍ・π／Ｚ＝（２〜５）Ｄａを満たすべく、前記各玉の数Ｚを少なく抑えているので、これら各玉のうちで、外輪軌道と内輪軌道とから荷重を受ける玉の割合を多くできる。
【００１３】
即ち、単列深溝型ラジアル玉軸受の場合、転がり軸受の技術分野で広く知られている様に、組立上の問題から、各玉に与圧を付与する事は難しい。特に、ピッチ円直径に比べて玉の数が多い場合には、与圧を付与する事が難しいだけでなく、正の内部隙間が大きくなり易い。単列深溝型ラジアル玉軸受の正の内部隙間が大きく、しかも玉の数が多く、しかも運転時に加わる荷重が小さい場合には、負荷圏に存在する極く少数の玉がこの荷重を支承し切り、残りの多くの玉は非負荷圏に存在する状態となって、殆ど乃至は全く、荷重を支承しない状態となる。この状態では、前記各玉が非負荷圏に存在する時間が長く（１公転中の割合が多く）なり、しかも、その長い時間の間、これら各玉に、前記外輪軌道及び前記内輪軌道から自転方向の力が加わらない状態となる。そして、これら非負荷圏にある各玉の自転速度は、それぞれの転動面と、保持器のポケット内面との摩擦等により、低下する傾向になる。この結果、負荷圏への突入時に、前記各玉の転動面と前記外輪軌道及び前記内輪軌道が強く擦れ合って、前記スキッディングが発生する。
【００１４】
これに対して本発明の場合には、次の理由により、スキッディングを抑える事ができる。先ず、第一に、ピッチ円直径に比べて玉の数が少ないので、仮に正の内部隙間が存在しても、その大きさは極く小さく抑えられるだけでなく、場合によっては、軽い予圧を付与する事ができる。又、玉の数が少ないので、運転時に加わるラジアル荷重が小さくても、負荷圏に存在する玉の割合が多くなり、その分、非負荷圏に存在する玉の割合が少なくなる。この結果、前記各玉が非負荷圏に存在する時間が短く（１公転中の割合が少なく）なって、各玉の自転速度が非負荷圏を通過する過程で低下しにくくなる。この結果、ｄｍ・ｎの値が１５０万以上（更には２００万以上）と言った、超高速回転下で運転される状態であっても、負荷圏への突入時に、前記各玉の転動面と前記外輪軌道及び前記内輪軌道が強く擦れ合う事が無くなり、前記スキッディングの発生を防止できる。
【００１５】
尚、ｄｍ・π／Ｚ＜２Ｄａの場合には、前記非負荷圏に存在する各玉の割合を少なくする事が難しくなり、前記スキッディング防止効果が不十分となる。これに対して、ｄｍ・π／Ｚ＞５Ｄａの場合には、玉の数が少なくなり過ぎて、保持器の安定的支持や、玉軸受の運転に伴って発生する振動を抑制する面から不利になる。即ち、玉の数が少なくなり、これら各玉と前記保持器に設けたポケットとの係合部の数が少なくなると、この保持器の軸方向位置を規制する事に寄与する、これら各ポケットと前記各玉との係合部の数が過小となり、前記保持器が外輪の内周面と内輪の外周面との間から抜け出る、所謂保持器抜けが発生し易くなる。又、軽荷重下で使用するとは言え、負荷圏に存在する極く少数の玉に関する接触楕円部分での弾性変形量が多くなり、運転時に於ける玉の通過振動が大きくなり易くなる。これに対して本発明の場合には、ｄｍ・π／Ｚ＝（２〜５）Ｄａとしている為、保持器抜けを防止しつつ、前記スキッディングの防止と玉の通過振動の抑制とを、高次元で両立させられる。尚、ｄｍ・π／Ｚ＝（３〜４）Ｄａとすれば、これらを、より高次元で両立させられる。
【００１６】
又、本発明の単列深溝型ラジアル玉軸受の場合には、運転時に於ける内部での発熱を抑えられる。この内部発熱の抑制は、主として、次の３通りの理由により図られる。先ず第一の理由は、前記各玉の転動面と前記外輪軌道及び前記内輪軌道との転がり接触部に存在する接触楕円のスピンを軽微に抑えられる為である。転がり軸受の技術分野で広く知られている様に、深溝型ラジアル玉軸受の場合、スラスト荷重が加わらない状態での前記各玉の接触角は０度であり、この状態では、前記各接触楕円はスピンしない。又、電動モータや発電機のロータを支持する為の深溝型ラジアル玉軸受には、スラスト荷重が殆ど加わらないか、仮に加わっても軽微である為、前記各玉の接触角は小さい値に止まる。従って、前記スピンに基づく摩擦による発熱は、仮に発生しても軽微に止まる。第二の理由は、前記各玉の数を少なくした分、運転時に熱を発生する接触楕円の数を少なくできる為である。第三の理由は、前記スキッディングの防止により、前記内部発熱を抑えられる為である。即ち、このスキッディングは、前記各玉の転動面と前記外輪軌道又は前記内輪軌道との著しい摩擦により生じるもので、当然に発熱を伴う。本発明の場合には、前記スキッディングを抑えられるので、このスキッディングによる発熱も抑えられる。本発明の単列深溝型ラジアル玉軸受は、これらにより、運転時に内部で発生する熱による温度上昇を抑える事ができて、超高速回転下で長時間運転した場合にも、焼き付等の損傷防止を図れる。
【００１７】
又、本発明を実施する場合に於いて、請求項２に記載した発明の様にして前記保持器の径方向及び軸方向に関する位置決めを図れば、前述した様な超高速回転での使用時にも、前記保持器の姿勢を安定させて、この保持器が、各玉の円滑な転動の為に必要とする以上に変位する事に伴う、保持器音と呼ばれる振動や騒音の発生を抑えられる。
この場合に於いて、請求項２に記載した発明の様に、保持器の回転を可能にしつつ、この保持器の径方向に関する位置決めを図る為の案内隙間の幅を０．２〜０．７［mm］の範囲に規制すれば、前記保持器音を十分低レベルに抑えられる。
【００１８】
又、請求項３に記載した発明の様に、前記保持器の重心を、前記隙間の径方向片側に位置する円筒面の軸方向一端縁と他端縁との間部分に存在させれば、前記保持器を傾斜させる方向のモーメントを抑えて、この保持器の姿勢を十分に安定させ、前記保持器音の抑制効果をより十分にできる。又、遠心力に基づく前記保持器の弾性変形を抑える事もできて、この面からも、超高速回転下での安定した運転が可能になる。
【００１９】
この様な請求項３に記載した発明の様に、前記外輪軌道及び前記内輪軌道を軸方向片側に偏らせ、前記保持器のリム部軸方向他側部分に設ければ、単列深溝型ラジアル玉軸受の大型化を抑えつつ、前記保持器の姿勢安定化を図れる。即ち、前記請求項３に記載した発明の要件を満たす為には、この保持器の軸方向に関して、前記リム部の厚さを大きくし、重心の軸方向位置をリム部の幅寸法範囲内に位置させる必要がある。但し、このリム部と、単列深溝型ラジアル玉軸受外に存在する部材との干渉を防止する為には、このリム部が前記外輪及び前記内輪の軸方向端面から突出しない様にする事が好ましい。前記外輪軌道及び前記内輪軌道を前記外輪の内周面及び前記内輪の外周面の軸方向中央に設けたまま、前記保持器の重心を前記間部分に存在させると、前記各玉を境として、前記リム部と反対側部分に無駄な空間が存在する状態となり、前記単列深溝型ラジアル玉軸受が徒に大型化する原因となる。これに対して、前記請求項３に記載した発明の構造を採用すれば、この大型化を抑えつつ、前記保持器の姿勢安定化を図れる。
【００２０】
更に、請求項２に記載した発明の様に、前記保持器を、炭素繊維を２０〜４０容量％含有したポリエーテルエーテルケトンにより造れば、温度変化に拘らず前記保持器の姿勢の安定化を図れると同時に、前記各玉によるこの保持器の保持力（前述した保持器抜けを防止する力）を確保し易い。
即ち、炭素繊維を２０〜４０容量％含有したポリエーテルエーテルケトンは、合成樹脂としては線膨張係数が低く、前記外輪及び内輪を構成する、軸受鋼、浸炭鋼等の鉄系金属の線膨張係数に近い。この為、運転に伴う温度上昇時にも、前記案内隙間の幅を適正範囲（０．２〜０．７mm）に維持できて、運転状態（温度変化）に拘らず、前記保持器音の発生を抑えられる。
又、炭素繊維を２０〜４０容量％含有したポリエーテルエーテルケトンの弾性係数は、保持器として一般的に使用されるポリアミド樹脂の弾性係数よりも大きい（弾性変形しにくい）。この為、玉の数が少なくて、この玉とポケットとの係合に基づいて前記保持器抜けを防止する係合部の数が少なくても、この保持器の保持力（保持器抜けを防止する力）を十分に確保できる。
【図面の簡単な説明】
【００２１】
【図１】本発明の実施の形態の１例を示す、単列深溝型ラジアル玉軸受の軸方向端面図。
【図２】同じく部分拡大図。
【図３】各玉の中心を含む仮想平面に関する断面図。
【図４】同じく部分拡大断面図。
【図５】外輪及び内輪の断面形状の２例を示す、それぞれ図２のａ−ａ断面図。
【図６】従来構造の１例を示す断面図。
【図７】保持器を取り出して示す斜視図。
【発明を実施するための形態】
【００２２】
本発明の実施の形態に就いて、図１〜５により説明する。本例のラジアル玉軸受１ａは、外輪２ａと、内輪３ａと、複数個の玉４ａ、４ａと、保持器５ａとから成る。このうちの外輪２ａは、外径Ｄ２が１３０〜２００［mm］であり、内周面に深溝型の外輪軌道６ａを有する。又、前記内輪３ａは、内径Ｒ３が１００〜１７０［mm］であり、外周面に深溝型の内輪軌道７ａを有し、前記外輪２ａの径方向内側に、この外輪２ａと同心に配置されている。前記各周面に前記外輪軌道６ａ及び前記外輪軌道７ａを形成する位置は、好ましくは、図５の（Ａ）に示す様に、軸方向中央部よりも片側｛図５の（Ａ）の左側｝に偏った位置とする。この理由は、後述する様に、前記ラジアル玉軸受１ａの大型化（軸方向に関する幅寸法の増大）を抑えつつ、前記保持器５ａの姿勢の安定化を図り易くする為である。但し、多少大型化しても差し支えなければ、図５の（Ｂ）に示す様に、前記外輪軌道６ａ及び前記外輪軌道７ａを、前記各周面の軸方向中央部に形成しても良い。
【００２３】
又、前記各玉４ａ、４ａは、直径Ｄａが５．５〜７．５［mm］であり、前記外輪軌道６ａと前記内輪軌道７ａとの間に、転動自在に設けられている。尚、これら両軌道６ａ、７ａの断面形状の曲率半径rと、前記各玉４ａ、４ａの直径Ｄａとの関係は、ｒ＝（０．５１５〜０．５３５）Ｄａ程度にする。この理由は、各接触楕円部分の面圧を適正にして、両軌道６ａ、７ａの転がり疲れ寿命を確保しつつ、これら各接触楕円部分での発熱を抑える為である。この場合に、玉軸受の技術分野で周知の様に、前記内輪軌道７ａに関する曲率半径に比べて、前記外輪軌道６ａに関する曲率半径を少し大き目にする事が好ましい。又、前記外輪２ａ及び前記内輪３ａは、例えば高炭素クロム軸受鋼、浸炭鋼の如き、硬質の鉄系合金により造る。何れにしても、好ましくは、前記外輪２ａ及び前記内輪３ａに、２００℃を超える様な比較的高温で焼き戻しを行う、テンパー処理を施し、これら外輪２ａ及び内輪３ａ内部の残留オーステナイトを分解して（寸法安定化処理を施して）から、前記両軌道６ａ、７ａの仕上研磨加工を行う。
【００２４】
更に、前記保持器５ａは、冠型保持器と呼ばれるもので、前記各玉４ａ、４ａを転動自在に保持している。この様な保持器５ａは、炭素繊維を２０〜４０容量％含有したポリエーテルエーテルケトン樹脂（ＰＥＥＫ）を射出成形する事により造られており、環状のリム部８ａの軸方向片側面に複数組の爪部９ａ、９ａを設けて成る。そして、互いに対となる爪部９ａ、９ａと前記リム部８ａの軸方向片側面（図５の左側面）とにより囲まれた部分を、前記各玉４ａ、４ａを保持する為のポケット１０ａ、１０ａとしている。これら各ポケット１０ａ、１０ａは、円周方向に関して等間隔に配置されており、それぞれの内面は、前記各玉４ａ、４ａの転動面の曲率半径よりも僅かに大きな曲率半径を有する、単一部分球面状の凹面である。尚、前記ＰＥＥＫとしては、比較的分子量が小さいものが、好ましく使用できる。この理由は、分子量が小さいＰＥＥＫは、同じく大きいＰＥＥＫに比べて、射出成形時に金型のキャビティ内に送り込む際の状態である、加熱溶融状態での粘度が低く（流動性が高く）、特に送り込み圧力を高くしなくても、得られる保持器５ａの形状及び寸法を安定させられる為である。この点を考慮して、例えば、ビクトレックス社製の、「９０ＣＡ３０」（商品記号）材が、好ましく使用できる。これに対して、ＰＥＥＫであっても、同社の、「４５０ＣＡ３０」（商品記号）材は、分子量が高く、射出成型時の流動性の面で問題がある。加熱温度及び送り込み圧を高くすれば、所望の性能を有する保持器５ａを得られるが、エネルギコストの上昇により製造コストが嵩む為、前記「９０ＣＡ３０」に比べて不利である。
【００２５】
前記各玉４ａ、４ａを前記各ポケット１０ａ、１０ａ内に転動自在に保持するには、これら各玉４ａ、４ａをこれら各ポケット１０ａ、１０ａ内に、前記保持器５ａの軸方向片側（図１、２の手前側、図５の左側）から、前記対となる爪部９ａ、９ａの先端縁同士の間隔を弾性的に押し広げつつ押し込む。押し込み後には、これら各爪部９ａ、９ａが弾性的に復元して、前記各玉４ａ、４ａが前記各ポケット１０ａ、１０ａから抜け出る事はなくなる。又、これら各玉４ａ、４ａは、それぞれが深溝型である、前記外輪軌道６ａ及び前記内輪軌道７aとの係合により、自転及び公転する事はあっても、前記外輪２ａ及び前記内輪３ａの軸方向に変位する事はない。従って、前記保持器５ａは、前記各玉４ａ、４ａと前記各ポケット１０ａ、１０ａとの係合に基づき、軸方向に関する位置決めを図られている（玉案内の構造により、前記保持器５ａの軸方向に関する位置決めを図っている）。以上の点に関しては、本例のラジアル玉軸受１ａに組み込まれる保持器５ａも、材質の点を除き、前述の図６〜７に示した従来構造に組み込まれていた保持器５と同様である。但し、本例のラジアル玉軸受１ａに組み込まれる保持器５ａの場合、ＰＥＥＫ製である為、前記各玉４ａ、４ａと前記各ポケット１０ａ、１０ａとの係合強度が大きくなる。
【００２６】
更に、本例のラジアル玉軸受１ａに組み込まれる保持器５ａの場合には、材質以外の点でも、次の(1)〜(3)の点で、前述の図６〜７に示した従来構造に組み込まれていた保持器５とは異なる。
(1) 前記リム部８ａの内径Ｒ８が、前記内輪３ａのうちで、前記内輪軌道７ａから外れた部分に存在する円筒面１１（肩部の外周面）の外径Ｄ１１よりも、僅かに（０．４〜１．４mm程度）大きいだけである。
(2) 前記リム部８ａの軸方向に関する幅寸法Ｗ８が、前記従来構造の場合よりも大きく、前記保持器５ａの重心の軸方向位置が、前記リム部８ａの幅方向両端縁同士の間部分（前記幅寸法Ｗ８の範囲）に存在する。
(3) 前記各ポケット１０ａ、１０ａの間隔（ピッチ）が大きく、前記保持器５ａの直径が大きい割合に、これら各ポケット１０ａ、１０ａの数が少ない。
【００２７】
これら(1)〜(3)の相違点のうちの相違点(1)により、前記保持器５ａの径方向に関する位置決めを、前記リム部８ａの内周面と前記円筒面１１との係合により図れて、前記保持器５ａの径方向に関する位置決めを安定させられる。
又、前記相違点(2)により、前記リム部８ａの内周面と前記円筒面１１との係合状態を安定させる事ができて、前記保持器５ａの径方向に関する位置決めを、より一層安定させられる。
更に、前記相違点(3)により、本発明の必須要件である、前記各玉４ａ、４ａのピッチ円直径ｄｍ［mm］と、これら各玉４ａ、４ａの数Ｚとの関係式、ｄｍ・π／Ｚ＝（２〜５）Ｄａを満たす様にしている。
【００２８】
上述の様に構成する本例の単列深溝型ラジアル玉軸受によれば、前述した様な理由により、電気自動車の駆動部に設けたロータの回転支持部に組み込み、運転速度ｎと前記ピッチ円直径ｄｍとの積であるｄｍ・ｎの値が、最大で１５０万以上となる条件下で使用した場合にも、スキッディングを抑える等により、十分に信頼性及び耐久性を確保すると共に、保持器音等、不利益な現象を抑えて、安定した運転状況を実現できる。
【実施例１】
【００２９】
本発明の効果を確認する為に行った実験に就いて説明する。この実験の為に、本発明の技術的範囲から外れる７種類の試料（比較例１〜７）と、本発明の技術的範囲に属する４種類の試料（実施例１〜４）との、合計１１種類の試料を用意した。
先ず、各試料に共通する仕様は、次の通りである。
外輪の外径                      ：    １９０mm
内輪の内径                      ：    １５５mm
外輪及び内輪の幅                ：    １１mm
玉の直径Ｄａ                    ：    ６．３５mm
玉のピッチ円直径ｄｍ            ：    １７２．５mm
外輪軌道の断面形状の曲率半径    ：    ０．５３Ｄａ
内輪軌道の断面形状の曲率半径    ：    ０．５２Ｄａ
又、試料により異なる仕様は、次の通りである。
保持器の位置決め（案内）構造          ：    玉案内（径方向、軸方向共に、各玉の転動面とポケットの内面との係合により位置決めを図る）、又は、玉案内及び内輪案内（軸方向に関しては、各玉の転動面とポケットの内面との係合により位置決めを図り、径方向に関しては、リム部の内周面と内輪の外周面との係合により位置決めを図る）
保持器の材質              ：    ガラス繊維強化ＰＡ又は炭素繊維強化ＰＥＥＫ
玉の数｛（ｄｍ・π）／（Ｚ・Ｄａ）｝  ：    １２〜４６個（１．８６〜７．１）
上述の範囲で、次の１１種類の試料を用意した。
【００３０】
［本発明の技術的範囲から外れる比較例］
比較例１
保持器の案内構造                      ：    玉案内
保持器の材質                          ：    ガラス繊維強化ＰＡ４６
玉の数｛（ｄｍ・π）／（Ｚ・Ｄａ）｝  ：    ４６個（１．８６）
比較例２
保持器の案内構造                      ：    玉案内
保持器の材質                          ：    炭素繊維強化ＰＥＥＫ
玉の数｛（ｄｍ・π）／（Ｚ・Ｄａ）｝  ：    ４６個（１．８６）
比較例３
保持器の案内構造                      ：    玉案内
保持器の材質                          ：    ガラス繊維強化ＰＡ４６
玉の数｛（ｄｍ・π）／（Ｚ・Ｄａ）｝  ：    １２個（７．１）
比較例４
保持器の案内構造                      ：    玉案内
保持器の材質                          ：    炭素繊維強化ＰＥＥＫ
玉の数｛（ｄｍ・π）／（Ｚ・Ｄａ）｝  ：    １２個（７．１）
比較例５
保持器の案内構造                      ：    玉案内及び内輪案内
保持器の材質                          ：    ガラス繊維強化ＰＡ４６
玉の数｛（ｄｍ・π）／（Ｚ・Ｄａ）｝  ：    ４６個（１．８６）
比較例６
保持器の案内構造                      ：    玉案内及び内輪案内
保持器の材質                          ：    炭素繊維強化ＰＥＥＫ
玉の数｛（ｄｍ・π）／（Ｚ・Ｄａ）｝  ：    ４６個（１．８６）
比較例７
保持器の案内構造                      ：    玉案内及び内輪案内
保持器の材質                          ：    炭素繊維強化ＰＥＥＫ
玉の数｛（ｄｍ・π）／（Ｚ・Ｄａ）｝  ：    １２個（７．１）
【００３１】
［本発明の技術的範囲に属する実施例］
実施例１
保持器の案内構造                      ：    玉案内及び内輪案内
保持器の材質                          ：    炭素繊維強化ＰＥＥＫ
玉の数｛（ｄｍ・π）／（Ｚ・Ｄａ）｝  ：    ３６個（２．３７）
実施例２
保持器の案内構造                      ：    玉案内及び内輪案内
保持器の材質                          ：    炭素繊維強化ＰＥＥＫ
玉の数｛（ｄｍ・π）／（Ｚ・Ｄａ）｝  ：    ３０個（２．８４）
実施例３
保持器の案内構造                      ：    玉案内及び内輪案内
保持器の材質                          ：    炭素繊維強化ＰＥＥＫ
玉の数｛（ｄｍ・π）／（Ｚ・Ｄａ）｝  ：    ２４個（３．５６）
実施例４
保持器の案内構造                      ：    玉案内及び内輪案内
保持器の材質                          ：    炭素繊維強化ＰＥＥＫ
玉の数｛（ｄｍ・π）／（Ｚ・Ｄａ）｝  ：    １８個（４．７４）
【００３２】
上述した１１種類の試料に就いて、次述する条件で耐久試験に供した。
回転条件        ：    外輪を固定し、内輪を１２０００min-1で回転駆動（ｄｍ・ｎ＝２０７万）
滑油条件      ：    潤滑油を３００cc／minで循環
負荷条件      ：    ラジアル荷重、スラスト荷重共に無負荷
尚、耐久試験は、２４時間継続して行い、途中で、ラジアル玉軸受の外輪の表面温度が１５０℃を超えて焼き付きを発生したり、著しい振動が発生した場合に、試験を中止した。
この様な条件で行った耐久試験の結果に就いて、以下に説明する。
【００３３】
先ず、比較例１に就いては、ガラス繊維強化ＰＡ製の保持器が破損すると共に、ラジアル玉軸受の内部での発熱が早い段階から著しくなって、このラジアル玉軸受の温度が上昇し、１時間経過した時点で、焼き付き損傷を発生した。そこで、このラジアル玉軸受を検査したところ、玉の転動面にスキッディング損傷が認められた。これらにより、前記比較例１の仕様では、電気自動車やハイブリッド自動車の駆動用モータや発電機のロータを回転支持する様な、軽負荷で超高速回転する様な条件下では、必要な性能を得られないと判断した。
次に、比較例２に就いては、保持器は破損しなかったが、上述した比較例１と同様に、スキッディング損傷が認められた。又、内部発熱による温度上昇も大きく、１時間経過した時点で、ラジアル玉軸受の温度が１５０℃を超えた為、やはり、前記条件下では、必要な性能を得られないと判断した。
次に、比較例３に就いては、玉の数が少ない事により、内部発熱が小さく、ラジアル玉軸受の温度上昇も低く抑えられた。但し、玉とポケットとの係合部の数が少な過ぎる事により、１時間経過した時点で、保持器の破損、保持器抜けが発生した。この為、この保持器の保持力が不充分であり、前記条件下では、必要な性能を得られないと判断した。
次に、比較例４に就いても、上述した比較例３と同様に、玉の数が少ない事により、内部発熱が小さく、ラジアル玉軸受の温度上昇も低く抑えられた。又、保持器の材質を炭素繊維強化ＰＥＥＫとした事で、保持器の破損は発生しなかったが、３時間経過した時点で、保持器抜けが発生した。この為、この保持器の保持力が不充分であり、前記条件下では、必要な性能を得られないと判断した。
【００３４】
次に、比較例５は、前述の比較例１に対して、保持器の径方向に関する位置決めを、玉案内から内輪案内に変更したものであるが、前記比較例１と同様に、１時間経過した時点で、内部での発熱が早い段階から著しくなって、このラジアル玉軸受の温度が上昇し、焼き付き損傷が発生した。又、玉の転動面にスキッディング損傷が認められた。この為、前記条件下では、必要な性能を得られないと判断した。
上述した比較例５の様に、ＰＡ製の保持器を使用して内輪案内構造を採用した場合には、内輪の外周面と保持器の内周面との間に存在する案内隙間の径方向に関する幅を、使用温度の全範囲に亙って適正値に維持する事は難しい。この理由は、ＰＡの線膨張係数は鉄の線膨張係数に比較してかなり大きい為である。本発明の対象となる様な、比較的直径が大きなラジアル玉軸受で、保持器の径方向位置の規制を軌道輪案内により行うと、運転の進行に伴う温度変化に伴って、前記案内隙間の幅が変動し、前記保持器の径方向位置が十分に規制されなくなり、超高速回転下でスキッディングを十分に防止できなくなる。特に、極低温環境下で使用する可能性がある場合、或いは、外輪案内構造で温度上昇が考えられる場合には、保持器の熱収縮又は熱膨張により、前記案内隙間が喪失して、この保持器の回転が困難乃至不能になる可能性がある。
【００３５】
次に、比較例６に就いては、保持器の破損は発生しなかったが、玉の数が多い事に伴って、各玉の転動面に軽微なスキッディング損傷が認められた。又、発熱による温度上昇が大きく、１時間経過した時点で、ラジアル玉軸受の温度が１５０℃を超えた。この為、前記条件下では、必要な性能を得られないと判断した。
更に、比較例７に就いては、前述した比較例３、４と同様に、玉の数が少ない事により、内部発熱が小さく、ラジアル玉軸受の温度上昇も低く抑えられた。又、保持器の材質を炭素繊維強化ＰＥＥＫとし、この保持器の案内構造を工夫した事で、保持器の破損及びスキッディングは発生しなかったが、５時間経過した時点で、保持器抜けが発生した。この為、この保持器の保持力が不充分であり、前記条件下では、必要な性能を得られないと判断した。
【００３６】
上述の様な比較例１〜７に対して、実施例１〜４は、何れもｄｍ・π／Ｚ＝（２〜５）Ｄａなる条件を満たすもので、且つ、ＰＥＥＫ製の保持器の位置規制を、径方向に関しては内輪案内により、軸方向に関しては玉案内により、それぞれ図っている。この様な使用である、前記実施例１〜４は、何れも、運転に伴う内部発熱が抑制され、玉軸受の温度が、最大で１４５℃にまでしか上昇しなかった。更に、スキッディング損傷や保持器破損、保持器抜け等の問題も発生しなかった。これらにより、前記実施例１〜４の仕様によれば、電気自動車やハイブリッド自動車の駆動用モータや発電機のロータを回転支持する様な、軽負荷で超高速回転する様な、厳しい使用条件下でも、必要な性能を得られる事が確認できた。
【産業上の利用可能性】
【００３７】
本発明を実施する場合に、前述した特許文献３に記載された発明の構造と組み合わせれば、保持器による潤滑油の攪拌抵抗を低く抑えて、単列深溝型ラジアル玉軸受の動トルクを低く抑え、電気自動車やハイブリッド自動車等、各種回転機械装置の性能の、より一層の向上を図れる。
又、玉（及びポケット）の数は、保持器を射出成形する際に、リム部に生じるウェルドがポケット部分から外れる様にする為に、偶数である事が好ましい。但し、材料の歩留まりが多少悪化はするが、キャビティのうちでリム部を形成する為の環状部分の一部に、この環状部分から突出する状態で湯溜りを形成してウェルドの位置をずらせる等の考慮をすれば、前記玉の数を奇数とする事もできる。
【符号の説明】
【００３８】
１、１ａ    ラジアル玉軸受
２、２ａ    外輪
３、３ａ    内輪
４、４ａ    玉
５、５ａ    保持器
６、６ａ    外輪軌道
７、７ａ    内輪軌道
８、８ａ    リム部
９、９ａ    爪部
１０、１０ａ    ポケット
１１    円筒面
【図１】
0005845662.tif 000002
【図２】
0005845662.tif 000003
【図３】
0005845662.tif 000004
【図４】
0005845662.tif 000005
【図５】
0005845662.tif 000006
【図６】
0005845662.tif 000007
【図７】
0005845662.tif 000008